(57)【要約】【課題】神経受容体分布画像等の機能画像から偽の低下領域および偽の上昇領域を除去する。【解決手段】神経受容体分布画像生成部３０は、３次元の神経受容体分布画像を生成する。形態画像生成部４０は、３次元の形態画像を生成する。抽出部５０は、形態画像から灰白質画像を生成する。スムージング部６０は、灰白質画像にスムージング処理を施し、スムージング画像を生成する。位置決め部７０は、神経受容体分布画像が示す脳の形状とスムージング画像が示す脳の形状とが重なるように、神経受容体分布画像をスムージング画像に位置決めする。同時に神経受容体分布画像のボクセル数およびサイズがスムージング画像のそれと同一となるよう再構成する。補正部８０は、神経受容体分布画像の各ボクセルのボクセル値をスムージング画像の対応する各ボクセルのボクセル値で割ることで神経受容体分布画像を補正する。【選択図】図１
2010046103.tif 000002
【特許請求の範囲】
【請求項１】
患者の脳の内部の３次元形形状を示す形態画像を取得する第１の取得手段と、
脳の機能を画像化するための薬品を前記患者に投与することで、当該患者の脳における３次元的な機能分布を示す機能画像を取得する第２の取得手段と、
前記形態画像から前記脳における灰白質の３次元的な分布を示す灰白質画像を抽出する抽出手段と、
前記灰白質画像の分解能を前記機能画像の分解能に合わせるために、前記灰白質画像にスムージング処理を施し、スムージング画像を生成するスムージング処理手段と、
前記機能画像が示す脳の形状と前記スムージング画像が示す脳の形状とが重なるように、前記機能画像を前記スムージング画像に位置決めする位置決め手段と、
前記位置決め手段により位置決めされた機能画像を前記スムージング画像で割ることで前記機能画像を補正する補正手段とを備えることを特徴とする診断画像生成システム。
【請求項２】
前記スムージング画像と前記機能画像とは同一サイズのボクセルより構成され、
前記位置決め手段は、前記スムージング画像が示す脳の形状と前記機能画像が示す脳の形状とが重なるように前記機能画像を前記スムージング画像に位置決めし、前記スムージング画像の各ボクセルと前記機能画像の各ボクセルとを対応付け、
前記補正手段は、前記機能画像の各ボクセルのボクセル値を、前記スムージング画像の対応する各ボクセルのボクセル値で割ることで前記機能画像を補正することを特徴とする請求項１記載の診断画像生成システム。
【請求項３】
前記スムージング手段は、前記灰白質画像にガウス関数を重畳することで、スムージング画像を生成することを特徴とする請求項１又は２記載の診断画像生成システム。
【請求項４】
前記ガウス関数の半値幅はＳＰＥＣＴ装置の半値幅とほぼ同一であることを特徴とする請求項３記載の診断画像生成システム。
【請求項５】
前記形態画像は、３次元の磁気共鳴画像であることを特徴とする請求項１〜４のいずれかに記載の診断画像生成システム。
【請求項６】
前記薬品は、Ｉ−１２３イオマゼニルであり、
前記機能画像は、神経受容体分布画像であることを特徴とする請求項１〜５のいずれかに記載の診断画像生成システム。
【請求項７】
前記補正手段は、前記抽出手段により抽出された灰白質画像をマスク画像として、補正後の機能画像をマスクキングすることで、前記補正後の機能画像から灰白質の領域を抽出することを特徴とする請求項１〜６のいずれかに記載の診断画像生成システム。
【請求項８】
患者の脳の内部の３次元形形状を示す形態画像を取得するする第１の取得手段と、
脳の機能を画像化するための薬品を前記患者に投与することで、当該患者の脳における３次元的な機能分布を示す機能画像を取得する第２の取得手段と、
前記形態画像から前記脳における灰白質の３次元的な分布を示す灰白質画像を抽出する抽出手段と、
前記灰白質画像の分解能を前記機能画像の分解能に合わせるために、前記灰白質画像にスムージング処理を施し、スムージング画像を生成するスムージング処理手段と、
前記機能画像が示す脳の形状と前記スムージング画像が示す脳の形状とが重なるように、前記機能画像を前記スムージング画像に位置決めする位置決め手段と、
前記位置決め手段により位置決めされた機能画像を前記スムージング画像で割ることで前記機能画像を補正する補正手段としてコンピュータを機能させることを特徴とする診断画像生成プログラム。
【請求項９】
コンピュータが、患者の脳の内部の３次元形形状を示す形態画像を取得するする第１の取得ステップと、
コンピュータが、脳の機能を画像化するための薬品を前記患者に投与することで、当該患者の脳における３次元的な機能分布を示す機能画像を取得する第２の取得ステップと、
コンピュータが、前記形態画像から前記脳における灰白質の３次元的な分布を示す灰白質画像を抽出する抽出ステップと、
コンピュータが、前記灰白質画像の分解能を前記機能画像の分解能に合わせるために、前記灰白質画像にスムージング処理を施し、スムージング画像を生成するスムージング処理ステップと、
コンピュータが、前記機能画像が示す脳の形状と前記スムージング画像が示す脳の形状とが重なるように、前記機能画像を前記スムージング画像に位置決めする位置決めステップと、
コンピュータが、前記位置決めステップにより位置決めされた機能画像を前記スムージング画像で割ることで機能画像を補正する補正ステップとを備えることを特徴とする診断画像生成方法。
【発明の詳細な説明】
【技術分野】
【０００１】
本発明は、医師等が脳の病気を診断する際に使用する診断画像を生成する技術に関するものである。
【背景技術】
【０００２】
てんかんは、中枢神経系神経細胞の過剰な神経活動により、発作症状が慢性的に反復出現する神経疾患である。てんかんは患者の３０％が抗てんかん薬に抵抗性であり、このような難治性てんかんはのうち、３分の１はてんかん焦点を切除する外科的治療の対象となる。
【０００３】
具体的には、ＭＲＩ、表面脳波、脳磁図、ＳＰＥＣＴ画像等から、てんかん焦点が存在するおよその領域を推定し、推定したおよその領域に皮質電極を埋め込む埋込手術を行う。そして、埋込手術後、てんかんが発生したときの皮質電極からの出力を分析することで、てんかん焦点を決定する。そして、決定したてんかん焦点をｌｏｂｅｃｔｏｍｙ、ｃｏｒｔｉｓｅｃｔｏｍｙ、ＭＳＴ等の手法を用いて切除する。
【０００４】
ところで、外科的切除範囲がてんかん焦点からずれている場合、てんかんを根治することはできない。一方、外科的切除範囲を過度に拡大すると、後遺症が現れる虞がある。したがって、外科的治療に際して最大限の治療効果を得、後遺症を最小限にとどめるには、てんかん焦点を正確に決定する必要がある。
【０００５】
てんかん焦点では、神経受容体の一種である中枢性ベンゾジアゼピン受容体の密度が低下しているため、脳全体における中枢性ベンゾジアゼピン受容体の３次元的な分布を示す神経受容体分布画像を撮影し、神経受容体の密度が低下している領域を特定することができれば、外科的切除範囲を正確に決定することができる。
【０００６】
そこで、神経受容体である中枢性ベンゾジアゼピン受容体と親和性が高くこの神経受容体に容易に結合することができるＩ−１２３イオマゼニルを患者に投与し、ＳＰＥＣＴ装置で患者の脳を撮影して神経受容体分布画像を取得し、この神経受容体分布画像を用いて医師がてんかん焦点を特定する画像診断方法が知られている。
【０００７】
しかしながら、神経受容体分布画像には、真の低下領域に加えて偽の低下領域が現れることが知られている。これは、神経受容体が大脳皮質の灰白質に局在しており、ＳＰＥＣＴ装置の半値幅が神経受容体の存在する灰白質に比べて大きいために、神経受容体分布画像が灰白質による部分容積効果（Partial Volume Effect:PVE)の影響を強く受けるからである。すなわち、脳が萎縮した領域は、脳が萎縮していない領域に比べて灰白質が小さくなる。そのため、萎縮した領域と萎縮していない領域とにおいて神経受容体の密度が同じであるにもかかわらず、部分容積効果によって、神経受容体分布画像上、萎縮した領域の神経受容体の密度が、萎縮していない領域の神経受容体の密度に比べて低く現れるのである。
【０００８】
また、疾患によっては灰白質が局所的に増大する一方で、同部位で神経受容体の密度がむしろ低下する場合がある。この場合は神経受容体分布画像上、神経受容体密度が低下しているにも関わらず部分容積効果によって神経受容体密度が正常であるかのように表現されるのである。
【０００９】
このように、神経受容体分布画像には、真の低下領域に加えて偽の低下領域あるいは偽の上昇領域が現れることによって真の低下領域が検出不能になったりする問題があるため、医師は未補正の神経受容体分布画像からてんかん焦点を特定することは困難である。
【００１０】
そこで、近年、神経受容体分布画像から偽の低下領域を除去する補正を行う種々の技術が提案されている。例えば、非特許文献１では、Ｃ−１１フルマゼニルを患者に投与して、ＰＥＴ装置によりＰＥＴ画像を撮影する一方、ＭＲＩにより脳のＭＲＩ画像を撮影し、このＭＲＩ画像から灰白質、白質、及びＣＳＦ等を抽出し、これら抽出した画像を用いてＰＥＴ画像の部分容積効果を補正する技術が開示されている。
【非特許文献１】Koepp MJ,Richardson MP,Labbe C,et al. C-Flumazenil PET, volumetric MRI, and quantitative pathology in mesial temporal lobe epilespy Nurology. 1997;49:764-773
【発明の開示】
【発明が解決しようとする課題】
【００１１】
ところで、非特許文献１の手法では、大脳の一部の小構造体である海馬のみを対象に部分容積効果補正を実行している。具体的には、ＭＲＩ画像から灰白質及び白質の分布画像を抽出し、白質の分布画像にＰＥＴ画像を重ね合わせ、ＰＥＴ画像から白質領域を抽出する。そして、白質領域の中心位置のＰＥＴ値を測定し、全ての白質領域においてＰＥＴ値は一定であると仮定して、測定したＰＥＴ値を白質領域の各位置のＰＥＴ値とする。
【００１２】
そして、測定した白質のＰＥＴ値を白質の分布画像に乗じて乗算画像を生成し、ＰＥＴ画像からこの乗算画像を減ずることで、灰白質に対するカウント値のみで構成されたＰＥＴ画像を生成する。
【００１３】
しかしながら、非特許文献１の手法では、ＰＥＴ画像から白質の分布画像を用いて白質領域が抽出され、なおかつ、ＰＥＴ画像から乗算画像を減ずることで、灰白質に対するカウント値のみで構成されたＰＥＴ画像が生成されているため、処理に手間かかるという問題がある。
【００１４】
また、ＭＲＩ画像とＰＥＴ画像との重ね合わせのずれや、白質の神経受容体の密度は灰白質のそれと比較して極めて小さいため、ＰＥＴ画像から抽出した白質領域は灰白質のカウント値の影響を強く受けている等の理由から、白質領域のＰＥＴ値は、非常に多くの誤差を含んでいる。
【００１５】
更に、非特許文献１の手法では、白質のＰＥＴ値を位置によらず一定としているため、これによっても、白質領域は非常に多くの誤差を含んでいる。
【００１６】
そして、このように非常に多くの誤差を含んだ白質領域のＰＥＴ値から乗算画像を生成し、ＰＥＴ画像からこの乗算画像が減じられ、灰白質に対するカウント値のみで構成されたＰＥＴ画像が生成されているため、この画像は、非常に多くの伝搬誤差の影響を受けている。そのため、非特許文献１の手法では、灰白質に対するカウント値のみで構成されたＰＥＴ画像を精度よく抽出することは困難である。
【００１７】
従って、非特許文献１の手法は、灰白質のカウント値を精度良く推定することは困難であり、ＰＥＴ画像から偽の低下領域あるいは偽の上昇領域を除去し、真の低下領域を感度良く検出することは困難である。その結果、非特許文献１の手法では、医師がてんかん焦点を診断することができるような精度で部分容積効果補正がなされたＰＥＴ画像を得ることができていない。
【００１８】
更に、非特許文献１の手法において、ＰＥＴ画像ではなく、ＰＥＴ画像よりも一般的に解像度の低いＳＰＥＣＴ画像を採用した場合、伝搬誤差は更に増大するため、非特許文献１の手法をＳＰＥＣＴ画像に適用することは到底不可能である。
【００１９】
本発明の目的は、神経受容体分布画像等の機能画像から偽の低下領域を除去し、真の低下領域を感度良く検出することのできる診断画像生成装置、診断画像生成プログラム、及び診断画像生成方法を提供することである。
【課題を解決するための手段】
【００２０】
（１）本発明による診断画像生成システムは、患者の脳の内部の３次元形形状を示す形態画像を取得する第１の取得手段と、脳の機能を画像化するための薬品を前記患者に投与することで、当該患者の脳における３次元的な機能分布を示す機能画像を取得する第２の取得手段と、前記形態画像から前記脳における灰白質の３次元的な分布を示す灰白質画像を抽出する抽出手段と、前記灰白質画像の分解能を前記機能画像の分解能に合わせるために、前記灰白質画像にスムージング処理を施し、スムージング画像を生成するスムージング処理手段と、前記機能画像が示す脳の形状と前記スムージング画像が示す脳の形状とが重なるように、前記機能画像を前記スムージング画像に位置決めする位置決め手段と、前記位置決め手段により位置決めされた機能画像を前記スムージング画像で割ることで前記機能画像を補正する補正手段とを備えることを特徴とする。
【００２１】
本発明による診断画像生成プログラムは、患者の脳の内部の３次元形形状を示す形態画像を取得するする第１の取得手段と、脳の機能を画像化するための薬品を前記患者に投与することで、当該患者の脳における３次元的な機能分布を示す機能画像を取得する第２の取得手段と、前記形態画像から前記脳における灰白質の３次元的な分布を示す灰白質画像を抽出する抽出手段と、前記灰白質画像の分解能を前記機能画像の分解能に合わせるために、前記灰白質画像にスムージング処理を施し、スムージング画像を生成するスムージング処理手段と、前記機能画像が示す脳の形状と前記スムージング画像が示す脳の形状とが重なるように、前記機能画像を前記スムージング画像に位置決めする位置決め手段と、前記位置決め手段により位置決めされた機能画像を前記スムージング画像で割ることで前記機能画像を補正する補正手段としてコンピュータを機能させることを特徴とする。
【００２２】
本発明による診断画像生成方法は、コンピュータが、患者の脳の内部の３次元形形状を示す形態画像を取得するする第１の取得ステップと、コンピュータが、脳の機能を画像化するための薬品を前記患者に投与することで、当該患者の脳における３次元的な機能分布を示す機能画像を取得する第２の取得ステップと、コンピュータが、前記形態画像から前記脳における灰白質の３次元的な分布を示す灰白質画像を抽出する抽出ステップと、コンピュータが、前記灰白質画像の分解能を前記機能画像の分解能に合わせるために、前記灰白質画像にスムージング処理を施し、スムージング画像を生成するスムージング処理ステップと、コンピュータが、前記機能画像が示す脳の形状と前記スムージング画像が示す脳の形状とが重なるように、前記機能画像を前記スムージング画像に位置決めする位置決めステップと、コンピュータが、前記位置決めステップにより位置決めされた機能画像を前記スムージング画像で割ることで機能画像を補正する補正ステップとを備えることを特徴とする。
【００２３】
これらの構成によれば、灰白質画像にスムージング処理が施されたスムージング画像が生成され、このスムージング画像が示す脳の形状と、機能画像が示す脳の形状とが重なるように、機能画像がスムージング画像に位置決めされる。そして、機能画像がスムージング画像で割られることで補正され、診断画像が生成されている。
【００２４】
機能画像に偽の低下領域が現れた場合、当該領域は萎縮しており、灰白質が小さくなっているため、部分容積効果の影響により、機能画像における偽の低下領域のボクセル値は萎縮していない領域のボクセル値よりも小さくなる。
【００２５】
また、偽の低下領域は萎縮しているため、当該領域の灰白質は、萎縮していない領域の灰白質よりも小さくなっている。よって、スムージング画像における偽の低下領域のボクセル値は、萎縮していない領域のボクセル値よりも小さくなる。そのため、機能画像をスムージング画像で割ると、偽の低下領域のボクセル値は、萎縮していない領域のボクセル値程度まで上昇する。これにより、機能画像から偽の低下領域が除去される。
【００２６】
一方、機能画像に偽の上昇領域が現れている場合、当該領域は腫脹しており灰白質の大きなてんかん焦点であるため、正常な領域に比べて神経受容体の密度が低いにもかかわらず、部分容積効果によって、正常な領域と同程度のボクセル値を有している。
【００２７】
そのため、機能画像をスムージング画像で割ると、偽の上昇領域のボクセル値は、正常な領域のボクセル値よりも小さくなる。これにより、偽の上昇領域が除去され真の低下領域が現れる。
【００２８】
（２）前記スムージング画像と前記機能画像とは同一サイズのボクセルより構成され、前記位置決め手段は、前記スムージング画像が示す脳の形状と前記機能画像が示す脳の形状とが重なるように前記機能画像を前記スムージング画像に位置決めし、前記スムージング画像の各ボクセルと前記機能画像の各ボクセルとを対応付け、前記補正手段は、前記機能画像の各ボクセルのボクセル値を、前記スムージング画像の対応する各ボクセルのボクセル値で割ることで前記機能画像を補正することが好ましい。
【００２９】
この構成によれば、スムージング画像を構成する各ボクセルと同一サイズのボクセルが機能画像に設定され、ボクセル同士が対応付けられている。そのため、補正手段は、脳の同一の領域を表すボクセル同士のボクセル値を用いて補正を行うことができる。
【００３０】
（３）前記スムージング手段は、前記灰白質画像にガウス関数を重畳することで、スムージング画像を生成することが好ましい。
【００３１】
この構成によれば、灰白質画像にガウス関数を重畳することでスムージング画像が生成されているため、スムージング処理を精度良く行うことができる。
【００３２】
（４）前記ガウス関数の半値幅はＳＰＥＣＴ装置の半値幅とほぼ同等であることが好ましい。
【００３３】
この構成によれば、ガウス関数の半値幅をＳＰＥＣＴ装置のそれとほぼ同一としたため、機能画像としてＳＰＥＣＴ装置により撮影された機能画像を用いた場合、スムージング画像の分解能を機能画像と同じような分解能にすることができる。具体的には、ＳＰＥＣＴ装置の半値幅を８〜１１ｍｍ程度に設定すると、実際に得られるＳＰＥＣＴ画像の半値幅はそれよりも多少大きくなり、例えば１２ｍｍ程度となる。したがって、ガウス関数の半値幅は、ＳＰＥＣＴ装置に設定した半値幅よりも多少大きな値に設定することが好ましい。すなわち、ＳＰＥＣＴ装置の半値幅を８〜１１ｍｍ程度に設定した場合、ガウス関数の半値幅を１２ｍｍに設定することが好ましい。
【００３４】
（５）前記形態画像は、３次元の磁気共鳴画像であることが好ましい。
【００３５】
この構成によれば、形態画像が３次元の磁気共鳴画像であるため、脳の内部形状を３次元的に高精度に表す形態画像を得ることができる。
【００３６】
（６）前記薬品は、Ｉ（ヨウ素）−１２３イオマゼニルであり、前記機能画像は、神経受容体分布画像であることが好ましい。
【００３７】
この構成によれば、神経受容体としての中枢性ベンゾジアゼピン受容体を精度良く表す神経受容体分布画像を得ることができる。
【００３８】
（７）前記補正手段は、前記抽出手段により抽出された灰白質画像を用いて、補正後の機能画像をマスクキングすることで、前記補正後の機能画像から灰白質の領域を抽出することが好ましい。
【００３９】
この構成によれば、脳の形態情報が曖昧となった補正後の機能画像に、脳の形態情報を与えることが可能となると共に、診断に不要な部位を排除することが可能となるため、医師がより診断し易い診断画像を生成することができる。
【発明の効果】
【００４０】
本発明によれば、機能画像から偽の低下領域及び偽の上昇領域を除去することができる。
【発明を実施するための最良の形態】
【００４１】
以下、本発明の実施の形態による診断画像生成装置について図面を参照しながら説明する。図１は、本発明の実施の形態による診断画像生成装置の全体構成を示すブロック図である。図１に示すように、診断画像生成装置は、第２の取得手段としてのＳＰＥＣＴ装置１０及び神経受容体分布画像生成部３０と、第１の取得手段としてのＭＲＩ装置２０及び形態画像生成部４０と、抽出手段としての抽出部５０と、スムージング処理手段としてのスムージング部６０と、位置決め手段としての位置決め部７０と、補正手段としての補正部８０とを備えている。
【００４２】
ＳＰＥＣＴ装置１０は、神経受容体を画像化するための薬品が投与された患者の脳を撮影することで、当該患者の脳における３次元の機能画像としての神経受容体分布画像を取得する。ここで、ＳＰＥＣＴ装置１０として、４つの検出器を備える４−ｈｅａｄのガンマカメラを採用することができ、本実施の形態では、Gamma View SPECT 2000H（Hitachi Medical Corp社製）を採用する。そして、ＳＰＥＣＴ装置１０は、４つの検出器の位置を変えながら患者の脳を撮影することで、これらの検出器による投影データを取得する。また、ＳＰＥＣＴ装置１０の分解能を示す半値幅は、例えば８〜１１ｍｍ程度に設定することができる。この場合、ＳＰＥＣＴ装置１０および神経受容体分布画像生成部３０により得られる神経受容体分布画像の半値幅は１２ｍｍ程度となる。
【００４３】
ガンマカメラは、被検体から放射されるガンマ線光子を１個ずつ捉えて、その入射位置を測定し、エネルギー信号（光子の明るさ）と位置信号とを出力し、このエネルギー信号と位置信号とを被検体のガンマ線画像の画像データとして取得する装置である。
【００４４】
なお、検出器は、被検体から放射されるガンマ線の受光側から順に、コリメータ、シンチレータ、光電子倍増管、及び加重総和増幅器等が配列されている。
【００４５】
コリメータを介して入力されたガンマ線は、シンチレータを発光させる。そして、シンチレータにより発光された光は、光電子倍増管により検出され、電気信号として出力される。そして、この電気信号は、加重総和増幅器によりエネルギー信号と位置信号として出力される。
【００４６】
ＭＲＩ（Magnetic Resonance Imaging）装置２０は、患者の脳を撮影することで、患者の脳の内部を所定方向からスライスしたときの脳の内部の形状を示す２次元の形態画像を取得する。本実施の形態では、ＭＲＩ装置として、例えば、Signa Excite 3.0、Signa Excite HD 1.5T(GE Yokogawa Medical Systems Ltd社製）、又はMagnetom Vision Plus 1.5T(Siemens AG社製)を使用することができる。
【００４７】
また、ここで、２次元の形態画像は、例えば、脳を水平方向にスライスしたときの画像が採用され、複数の画素が例えば２５６×２５６でマトリックス状に配列された画像データにより構成される。また、ＭＲＩ装置の分解能を示す半値幅は、ＳＰＥＣＴ装置の分解能を示す半値幅である８〜１１ｍｍよりも遙かに小さい値である。
【００４８】
神経受容体分布画像生成部３０、形態画像生成部４０、抽出部５０、スムージング部６０、位置決め部７０、及び補正部８０は、例えばコンピュータにより構成され、コンピュータのＣＰＵが本発明による診断画像生成プログラムを実行することで実現される。抽出部５０等の各ブロックの構成は、上記の例に特に限定されず、一部又は全部を専用のハードウエア回路から構成してもよい。
【００４９】
神経受容体分布画像生成部３０は、ＳＰＥＣＴ装置１０により収集されたガンマカメラの投影データから、３次元の神経受容体分布画像を生成する。ここで、３次元の神経受容体分布画像は、微小な直方体又は立方体形状を有する複数のボクセルが３次元的に配列された３次元の画像データにより構成されている。また、各ボクセルは、所定の階調数（例えば２５６階調）で、神経受容体の密度が高い位置ほど階調値が高くなるように神経受容体の各位置の密度を表す。また、各ボクセルの一辺の値としては、例えば２〜４ｍｍ程度の値を採用することができる。
【００５０】
形態画像生成部４０は、ＭＲＩ装置２０により取得された複数枚の２次元の形態画像に複数のボクセルを設定し、２次元の形態画像の画素値から各ボクセルにボクセル値を与えることで、３次元の形態画像を生成する。ここで、３次元の形態画像は、微小な直方体又は立方体形状を有する複数のボクセルが３次元的に配列された３次元の画像データにより構成されている。また、各ボクセルは、所定の階調数（例えば１６ビット）で脳内部の各位置の濃淡を表す。また、各ボクセルの一辺の値としては、神経受容体分布画像と同一の値を採用することができる。
【００５１】
抽出部５０は、形態画像生成部４０により生成された形態画像から脳における灰白質の３次元的な分布を示す灰白質画像を生成する。灰白質画像は、形態画像と同一サイズのボクセルによって表される３次元の画像データであり、各ボクセルのボクセル値は、灰白質の存在する位置は１、灰白質の存在しない位置は０である。
【００５２】
ここで、抽出部５０は、例えばAshburner J, Friston KJ. Voxel-based morphometry: the methods. Neuroimage. 2000;11:805-821に記載された手法を用いて灰白質画像を抽出することができる。
【００５３】
具体的には、この手法は、所定数（例えば１５０人程度）の健常者のＭＲＩ画像に基づいて予め作成された灰白質の確率分布図（事前確率）と、予め推定された灰白質の尤度とを用いて、処理対象となるＭＲＩ画像の信号強度の事後確率（例えばある領域が灰白質である確率）をベイズ理論によって推定することで、灰白質を抽出する手法である。
【００５４】
スムージング部６０は、抽出部５０により生成された灰白質画像の分解能を神経受容体分布画像の分解能に合わせるために、灰白質画像にスムージング処理を施し、スムージング画像を生成する。ここで、スムージング部６０は、灰白質画像にガウス関数を重畳することで、スムージング画像を生成する。ガウス関数としては、半値幅が例えば１２ｍｍ程度のものを採用することができる。これにより、灰白質画像の分解能を神経受容体分布画像と同程度の分解能にすることができ、後述する位置決め部７０の処理をより精度良く行うことができる。また、灰白質画像は、ガウス関数が重畳されることで、２値画像から所定階調（例えば２５６階調）の多値画像とされる。
【００５５】
位置決め部７０は、神経受容体分布画像生成部３０により生成された神経受容体分布画像が示す脳の形状とスムージング画像が示す脳の形状とが重なるように、神経受容体分布画像をスムージング画像に位置決めし、スムージング画像の各ボクセルと、スムージング画像の各ボクセルに対応する位置に存在する神経受容体分布画像の各ボクセルとを対応付ける。
【００５６】
ここで、位置決め部７０は、例えばJenkinson M, Smith S. A global optimisation method for robust affine registration of brain images. Med Image Anal. 2001;5:143-156に記載された手法を用いてスムージング画像を神経受容体分布画像に重ね合わせる。
【００５７】
具体的には、この手法は、correlation ratio（相関比）とmutual information（相互情報量）とを評価関数として、最適化アルゴリズムを用いることによって位置決め対象となる２種類の画像を互いに剛体変換することで位置決めする手法である。なお、ここでは同時に神経受容体分布画像のボクセル数およびサイズがスムージング画像のそれと同一となるよう再構成される。
【００５８】
補正部８０は、位置決め部７０により位置決めされた神経受容体分布画像の各ボクセルのボクセル値をスムージング画像の対応する各ボクセルのボクセル値で割ることで神経受容体分布画像を補正する部分容積効果補正（ＰＶＣ：Partial volume correction）を実行し、診断画像を生成する。これにより、神経受容体の密度が本当は高いにも関わらず、部分容積効果によって神経受容体分布画像上に低いボクセル値で現れた偽の低下領域のボクセル値を上昇させ、神経受容体分布画像から偽の低下領域を除去することができる。一方、神経受容体の密度が本当は低いにも拘わらず、部分容積効果によって神経受容体分布画像上に高いボクセル値で現れた偽の上昇領域のボクセル値を低下させ、神経受容体分布画像から偽の上昇領域を除去し、真の低下領域を現すことができる。
【００５９】
図２は、部分容積効果の説明図である。図２Ａは、それぞれ断面積が異なり、かつ同一の高さを有する４個のファントム（放射性物質を収納する容器）の上面視の図を示している。図２Ｂは、一定濃度の放射性物質が収納された４つのファントムをＳＰＥＣＴ装置により撮影したときに、ＳＰＥＣＴ装置によりカウントされた放射性物質のカウント値を示したＳＰＥＣＴ画像を示している。図２Ｃは、図２Ｂに示すＳＰＥＣＴ画像に対して本願の部分容積効果補正を適用した後のＳＰＥＣＴ画像を示している。
【００６０】
なお、図２Ａ，図２Ｂ，図２Ｃにおいてｘ軸及びｙ軸はファントムの長手方向に直交する水平面において直交する２軸を示し、図２Ｂ，図２Ｃにおいてｚ軸は水平面の各位置におけるカウント値を示している。
【００６１】
４つのファントムに収納された放射性物質の濃度はそれぞれ同一であるため、本来的にはＳＰＥＣＴ画像のカウント値は同一となるはずである。したがって、図２Ｂに示す円錐状の各ファントムの高さは同一となるはずである。しかしながら、ＳＰＥＣＴ装置の分解能が低いため、図２Ｂに示すように、部分容積効果の影響により、容積の大きいファントムの方が、容積の小さいファントムに比べてカウント値が大きくなる。
【００６２】
そこで、図２Ｂに示すＳＰＥＣＴ画像に対して、本願発明による部分容積効果補正を適用すると、部分容積効果によるカウント値の相違が補正され、図２Ｃに示すように各ファントムのカウント値が同一となるようにＳＰＥＣＴ画像が補正されることになる。
【００６３】
これにより、神経受容体分布画像において、部分容積効果によって現れる偽の低下領域や偽の上昇領域を除去することができる。
【００６４】
図３は、偽の上昇領域が除去される例を示した図であり、図３Ａは、形態画像を示し、図３Ｂは部分容積効果補正前の神経受容体分布画像を示し、図３Ｃは、部分容積効果補正後の神経受容体分布画像を示している。なお、図３Ａ〜図３Ｃにおいて、矢印で示す位置Ｘはてんかん焦点を示している。また、図３Ｂ〜図３Ｃにおいて、黒い領域は背景であり脳の内部においては、輝度によって、同一図内のあるボクセル値を基準としたときの各位置におけるボクセル値の相対値を表しており、輝度の低い位置ほどボクセル値の相対値が高い。実際の画像では、輝度ではなく相対値が高くなるにつれて、波長が長くなるような青〜赤のカラースケールにより相対値が表されている。すなわち、実際の画像は、青から赤になるにつれて、神経受容体の密度が高いことを表している。
【００６５】
したがって、医師は、図３Ｂ〜図３Ｃに示す脳領域を、中心線ＣＬを中心として左脳領域及び右脳領域に分け、左脳領域のカラースケールの分布と右脳領域のカラースケールの分布とを比較することでてんかん焦点を診断する。例えば、左脳領域のある位置が緑色のカラースケールで表されているが、対応する右脳領域の位置が赤色のカラースケールで表されている場合、左脳領域の当該位置はてんかん焦点であると診断される。
【００６６】
図３Ｂに示す位置Ｘは部分容積効果の影響を受け、本来よりも高いボクセル値を有しており、偽の上昇領域となっている。すなわち、図３Ｂにおいて位置Ｘは、てんかん焦点であり、神経受容体の密度が他の領域よりも低いため、本来的には、正常な領域に比べてボクセル値が低くなるはずである。
【００６７】
しかしながら、部分容積効果の影響によって、位置Ｘのボクセル値は実際の値よりも高くなっており、正常な位置と同様の値を有している。したがって、医師は図３Ｂに示す神経受容体分布画像を観察した場合、位置Ｘが対応する左脳領域内の位置と同様のカラースケールで表示されているため、てんかん焦点を特定することはできない。
【００６８】
そこで、本願発明による部分容積効果補正を図３Ｂに示す神経受容体分布画像に適用する。すると、図３Ｃに示すように、位置Ｘのボクセル値は低下して本来のボクセル値を有するようになる。
【００６９】
すなわち、神経受容体分布画像において位置Ｘは、腫脹しており、灰白質の大きなてんかん焦点であるため、正常な位置に比べて神経受容体の密度が低いにもかかわらず、部分容積効果によって、正常な位置と同様のボクセル値を有している。
【００７０】
一方、スムージング画像において位置Ｘは、正常な位置に比べて灰白質が大きいため、正常な位置よりも大きなボクセル値を有している。
【００７１】
そのため、神経受容体分布画像をスムージング画像で割ると、位置Ｘのボクセル値は、正常な位置よりも小さくなる。これにより、偽の上昇領域が除去される。
【００７２】
したがって、医師は図３Ｃに示す診断画像を観察した場合、位置Ｘのカラースケールが左脳領域の対応する位置よりも神経受容体の密度が低いことを示すカラースケールで表されているため、てんかん焦点を特定することができる。
【００７３】
図４は、偽の低下領域が除去される例を示した図である。図４Ａは形態画像を示し、図４Ｂは部分容積効果補正前の神経受容体分布画像を示し、図４Ｃは部分容積効果補正後の神経受容体分布画像を示している。図４Ｂにおいて、矢印で示す位置Ｙは、偽の低下領域を示している。位置Ｙは、てんかん焦点ではないため、本来的には正常な位置と同様、高いボクセル値を有するはずである。
【００７４】
しかしながら、位置Ｙは、萎縮しているため、部分容積効果の影響を受け、萎縮していない位置に比べて低いボクセル値を有することになる。よって、医師は、図４Ｂの神経受容体分布画像を観察した場合、位置Ｙのカラースケールが左脳領域の対応する位置のカラースケールよりも低いため、位置Ｙをてんかん焦点と診断してしまう。
【００７５】
そこで、図４Ｂの神経受容体分布画像に対して本願発明の部分容積効果補正を適用すると、図４Ｃに示すように、位置Ｙのボクセル値が本来のボクセル値を有するようになり、偽の低下領域を除去することができる。
【００７６】
すなわち、位置Ｙは萎縮しており、灰白質が小さくなっているため、部分容積効果の影響により、神経受容体分布画像における位置Ｙのボクセル値は萎縮していない位置よりも小さくなる。
【００７７】
また、位置Ｙは萎縮しているため、位置Ｙの灰白質は、萎縮していない位置の灰白質より小さくなる。よって、スムージング画像における位置Ｙのボクセル値は、萎縮していない位置のボクセル値よりも小さくなる。そのため、神経受容体分布画像をスムージング画像で割ると、位置Ｙのボクセル値は、萎縮していない位置のボクセル値程度まで上昇する。これにより、神経受容体分布画像から偽の低下領域が除去される。
【００７８】
次に、本診断画像生成システムによる部分容積効果補正について説明する。図５は図１に示す診断画像生成システムによる部分容積効果補正を示すフローチャートである。また、図６は、本診断画像生成システムによる部分容積効果補正の説明図である。
【００７９】
まず、神経受容体分布画像生成部３０は、ＳＰＥＣＴ装置１０により撮影された検出器の投影データから３次元の神経受容体分布画像を生成する（ステップＳ１）。図６Ａは、３次元の神経受容体分布画像をある位置から水平方向にスライスしたときの３次元の神経受容体分布画像の断面図を示している。
【００８０】
ここで、ＳＰＥＣＴ装置１０は、Ｉ−１２３イオマニゼルが投与されてから３時間が経過した患者の脳を４つの検出器の位置を変えながら撮影することで、検出器の投影データを収集する。なお、図６Ａ，図６Ｂ，図６Ｅ，図６Ｆにおいて、黒の領域は背景であり脳の内部においては、輝度が低い位置ほどボクセル値の相対値は大きい。
【００８１】
次に、形態画像生成部４０は、ＭＲＩ装置２０により取得された複数枚の２次元の形態画像から３次元の形態画像を生成する（ステップＳ２）。図６Ｃは３次元の形態画像をある位置から水平方向にスライスしたときの３次元の形態画像の断面図である。図６Ｃにおいて、外周に沿うように存在するひだ状の領域が灰白質であり、灰白質の内部に存在する灰色の領域が白質である。
【００８２】
次に、抽出部５０は、ステップＳ２により取得された３次元の形態画像から灰白質画像を抽出する（ステップＳ３）。図６Ｄは灰白質画像をある位置から水平方向にスライスしたときの灰白質画像の断面図を示している。図６Ｄに示すように、図６Ｃに示す形態画像から灰白質が抽出されていることが分かる。
【００８３】
次に、スムージング部６０は、ステップＳ３で生成された灰白質画像に半値幅が１２ｍｍのガウシアン関数を重畳することで、スムージング画像を生成する。図６Ｅは図６Ｄの灰白質画像をスムージング処理することで得られるスムージング画像を示した図である。図６Ｅに示すようにスムージング処理によって、図６Ｄに示す灰白質画像の分解能が図６Ａあるいは図６Ｂに示す神経受容体分布画像の分解能と同程度になっていることが分かる。
【００８４】
次に、位置決め部７０は、ステップＳ１で生成した３次元の神経受容体分布画像をステップＳ４で生成したスムージング画像に位置決めし（ステップＳ５）、３次元の神経受容体分布画像の各ボクセルをスムージング画像の各ボクセルに対応付ける。このとき同時に神経受容体分布画像のボクセル数およびサイズがスムージング画像のそれと同一となるよう再構成される。図６Ｂは、スムージング画像に位置決めされた神経受容体分布画像を示している。
【００８５】
ここで、神経受容体分布画像はＳＰＥＣＴ装置１０の検出器より撮影された投影データから生成されたものであり、スムージング画像の原画像である形態画像はこの投影データとは異なる時刻にＭＲＩ装置２０により撮影された２次元の形態画像から生成されたものである。そのため、神経受容体分布画像の各ボクセルが示す脳の領域と同じ領域を示すボクセルをスムージング画像から見つけ出さなければならない。そこで、位置決め部７０は、スムージング画像が示す脳の形状と神経受容体分布画像が示す脳の形状とが重なるように神経受容体分布画像をスムージング画像に位置決めし、神経受容体分布画像の各ボクセルをスムージング画像の各ボクセルに対応付けている。
【００８６】
次に、補正部８０は、神経受容体分布画像の各ボクセルのボクセル値をステップＳ５により対応付けられたスムージング画像の各ボクセルのボクセル値で割ることで、神経受容体分布画像を補正する（ステップＳ６）。これにより、図６Ｆに示すように神経受容体分布画像から偽の上昇領域又は偽の低下領域を除去することができる。
【００８７】
図７は、本発明による部分容積効果補正による効果を確認するために行った実験の実験結果を示す表である。この実験は、外科的手術によりてんかん焦点が除去された患者の脳を図８に示すように１８個のブロックに分け、各ブロックを専門家による視覚評価に基づいて真か偽かの評価を与えた。なお、外科手術により除去された領域は、てんかん焦点であると仮定し、外科手術により除去されていない領域はてんかん焦点でないと仮定した。というのは、外科手術後の患者の予後は良好だったからである。具体的には、各ブロックを以下のように評価した。
【００８８】
外科手術により除去された領域を含むブロックであって、視覚評価によりてんかん焦点が含まれると診断（てんかんである領域をてんかんであると診断）されたブロックを、真の陽性ブロックとした。
【００８９】
外科手術により除去されていない領域を含むブロックであって、視覚評価によりてんかん焦点が含まれると診断（てんかんでない領域をてんかんであると誤診断）されたブロックを、偽の陽性ブロックとした。
【００９０】
外科手術により除去されていない領域を含むブロックであって、視覚評価によりてんかん焦点が含まれないと診断（てんかんでない領域をてんかんでないと診断）されたブロックを、真の陰性ブロックとした。
【００９１】
外科手術により除去されていない領域を含むブロックであって、視覚評価によりてんかん焦点が含まれないと診断（てんかんでない領域をてんかんであると誤診断）されたブロックを、偽の陰性ブロックとした。
【００９２】
そして、外科手術前の患者における部分容積効果補正前の神経受容体分布画像と、部分容積効果補正後の神経受容体分布画像との感度、特異度、及び正確度を調べた。
【００９３】
但し、感度、特異度、及び正確度は下記の式により定義される。
【００９４】
感度＝真の陽性ブロックの数／切除されたブロックの数
なお、切除されたブロックは、外科手術により除去された領域を含むブロックである。
【００９５】
特異度＝真の陰性ブロックの数／除去されなかったブロックの数
但し、除去されなかったブロックは、外科手術により除去された領域を含まないブロックである。
【００９６】
正確度＝（真の陽性ブロックの数＋真の陰性ブロックの数）／全ブロック数
図７の表に示すように感度はＰＶＣの前後において、５０％から８８％に上昇しており、ＰＶＣによって、てんかん焦点を含むブロックのうち、てんかん焦点を含むと正しく診断されたブロックの割合が飛躍的に向上していることが分かる。
【００９７】
また、特異度はＰＶＣの前後において、９２％から９８％に上昇しており、てんかん焦点を含まないブロックのうち、てんかん焦点を含まないと正しく診断されたブロックの割合が向上していることがわかる。
【００９８】
また、正確度はＰＶＣの前後において、８７％から９８％に上昇しており、全ブロックのうち、てんかん焦点であると正しく診断されたブロックの数及びてんかん焦点でないと正しく診断されたブロックの割合が向上していることが分かる。
【００９９】
なお、上記説明では、本発明はてんかん焦点を特定するために用いられていたが、これに限定されず、認知症、脳血管障害、パーキンソン病等の診断を行う場合にも適用可能である。認知症の場合は、脳血流又は脳糖代謝を画像化するための薬品を用いればよい。また、脳血管障害の場合は、脳血流、脳酸素代謝、又は中枢性ベンゾジアゼピン受容体を画像化するための薬品を用いればよい。また、パーキンソン病の場合は、ドパミン受容体（Ｄ２受容体）を画像化するための薬品を用いればよい。
【０１００】
また、上記説明では、ＳＰＥＣＴ装置を用いたがこれに限定されず、ＰＥＴ装置を用いても良い。
【０１０１】
また、補正部８０は、抽出部５０により抽出された灰白質画像をマスク画像として、補正後の神経受容体分布画像をマスクキング処理することで、補正後の神経受容体分布画像から灰白質の領域を抽出したものを診断画像としてもよい。
【０１０２】
図９は、マスキング処理を説明する図であり、図９Ａは補正後の神経受容体分布画像を示し、図９Ｂは灰白質画像を用いたマスク画像を示し、図９Ｃは診断画像を示している。
【０１０３】
上述したように、図９Ｂに示す灰白質画像（マスク画像）は、二値画像であるため、補正部８０は、図９Ａに示す補正後の神経受容体分布画像を図９Ｂに示す灰白質画像で乗じると、図９Ｃに示すように、補正後の神経受容体分布画像から灰白質の領域を抽出することができる。
【０１０４】
これにより、脳の形態情報が曖昧となった補正後の神経受容体分布画像に、脳の形態情報を与えることが可能となると共に、診断に不要な部位を排除することが可能となるため、医師がより診断し易い診断画像を生成することができる。
【図面の簡単な説明】
【０１０５】
【図１】本発明の実施の形態による診断画像生成装置の全体構成を示すブロック図である。
【図２】部分容積効果の説明図である。
【図３】偽の上昇領域が除去される例を示した図である。
【図４】偽の低下領域が除去される例を示した図である。
【図５】図１に示す診断画像生成システムによる部分容積効果補正を示すフローチャートである。
【図６】本診断画像生成システムによる部分容積効果補正の説明図である。
【図７】本発明による部分容積効果補正による効果を確認するために行った実験の実験結果を示す表である。
【図８】本発明による部分容積効果補正による効果を確認するために行った実験の説明図である。
【図９】マスキング処理を説明する図である。
【符号の説明】
【０１０６】
１０  ＳＰＥＣＴ装置
２０  ＭＲＩ装置
３０  神経受容体分布画像生成部
４０  形態画像生成部
５０  抽出部
６０  スムージング部
７０  位置決め部
８０  補正部
【図１】
2010046103.tif 000003
【図２】
2010046103.tif 000004
【図３】
2010046103.tif 000005
【図４】
2010046103.tif 000006
【図５】
2010046103.tif 000007
【図６】
2010046103.tif 000008
【図７】
2010046103.tif 000009
【図８】
2010046103.tif 000010
【図９】
2010046103.tif 000011